(57)【要約】【課題】            従来のループを形成するファスナー部材には、個別商品の管理をするためのＩＣチップの搭載はあっても、不正持ち出しを監視するための機能はなく、また、ＩＣチップの搭載構造もファスナー部材に不正持ち出し監視のための部材を付加するものがなかったため、その部材との対応も考慮されることがなかったという点である。【解決手段】        係止部を備えた挿通孔を形成した受部と、その受部の挿通孔に挿通され、前記係止部と係合してロック状態とする係合部を備えた挿し込み部とをフィラメント部によって一体的に連絡し、一部にＩＣチップを搭載したファスナー部材において、前記したフィラメントの一部に沿って硬質材によって成形された保持部を設け、その保持部にＩＣチップを搭載してあること、また、前記したフィラメント部はアンテナとなる導電材による芯線が軸方向に沿って内蔵されていることとする。【選択図】          図２
2013228916.tif 000002
【特許請求の範囲】
【請求項１】
係止部を備えた挿通孔を形成した受部と、その受部の挿通孔に挿通され、前記係止部と係合してロック状態とする係合部を備えた挿し込み部とをフィラメント部によって一体的に連絡し、一部にＩＣチップを搭載したファスナー部材において、前記したフィラメントの一部に沿って硬質材によって成形された保持部を設け、その保持部にＩＣチップを搭載してあることを特徴とするファスナー部材。
【請求項２】
前記した保持部は受部寄りに、その受部と同材で一体的に形成してあることを特徴とする請求項１に記載のファスナー部材。
【請求項３】
前記した保持部は受部、挿し込み部と独立して形成されていることを特徴とする請求項１に記載のファスナー部材。
【請求項４】
前記したフィラメント部はアンテナとなる導電材による芯線が軸方向に沿って内蔵されていることを特徴とする請求項１から３のうち１つに記載のファスナー部材。
【請求項５】
前記した導電材による芯線としてアモルファスを使用していることを特徴とする請求項４に記載のファスナー部材。
【請求項６】
前記した保持部はその外側縁に、ＩＣチップを前記芯線に、そのアンテナを近接させる押し付け部が形成されていることを特徴とする請求項４または５に記載のファスナー部材。
【請求項７】
前記した保持部にはＩＣチップの位置決め用の挟持片が設けられていることを特徴とする請求項６に記載のファスナー部材。
【請求項８】
係止部を備えた挿通孔を形成した受部と、その受部の挿通孔に挿通され、前記係止部と係合してロック状態とする係合部を備えた挿し込み部とをフィラメント部によって一体的に連絡し、一部にＩＣチップを搭載したファスナー部材において、前記したフィラメントの一部に沿って硬質材によって成形された保持部を設け、その保持部にＩＣチップを搭載してあるファスナー部材をランナー部材に切離可能に一定ピッチで並列したアッセンブリとし、そのアッセンブリを装着し、順次単一のファスナー部材を目的物に装着する装着器具であって、装置本体の一部にファスナー部材のＩＣチップと対応するリーダーライターを設けてある装着器具において、トリガーの動作に連動する操作スイッチを配し、リーダーライターはアンテナと電気的に接続されたものとし、そのリーダーライターと前記スイッチを電気的に接続してあることを特徴とするファスナー部材の装着器具。
【発明の詳細な説明】
【技術分野】
【０００１】
本発明は、種々の商品を対象として、ブランドタグや商品の品質、価格を表示したタグを装着、あるいは複数の対象物を連結したり、結束してまとめる目的で使用されるファスナー部材、及び、そのファスナー部材がアッセンブリとして製造された場合、順次単一品を対象物に装着していく装着器具に関する。
【背景技術】
【０００２】
従来、上記した目的のため、受部と、その受部の孔に挿し込みロックされる挿し込み部とを可撓性のフィラメントで連結したループを形成するファスナー部材が提供されている。そして、そのファスナー部材の受部もしくは挿し込み部に商品管理のためのＩＣチップを搭載したものも知られている。
【０００３】
しかしながら、従来の上記した目的、構成のファスナー部材は、商品の管理は搭載されたＩＣチップによって可能となるが、いわゆる万引きをはじめとする犯罪を含めた違法持ち出し行為を監視チェックするための機能が、付設されておらず、セキュリティのため、種々の対策を施す必要性があった。
【先行技術文献】
【特許文献】
【０００４】
【特許文献１】特願２０１１−２５３５８４号出願書類
【発明の概要】
【発明が解決しようとする課題】
【０００５】
本発明が解決しようとする問題点は、従来のループを形成するファスナー部材には、個別商品の管理をするためのＩＣチップの搭載はあっても、不正持ち出しを監視するための機能はなかったという点である。
【０００６】
また、ＩＣチップの搭載構造もファスナー部材に不正持ち出し監視のための部材を付加するものがなかったため、その部材との対応も考慮されることがなかったという点である。
【課題を解決するための手段】
【０００７】
この問題点を解決するために、本発明に係るファスナー部材は、係止部を備えた挿通孔を形成した受部と、その受部の挿通孔に挿通され、前記係止部と係合してロック状態とする係合部を備えた挿し込み部とをフィラメント部によって一体的に連絡し、一部にＩＣチップを搭載したファスナー部材において、前記したフィラメントの一部に沿って硬質材によって成形された保持部を設け、その保持部にＩＣチップを搭載してあることを特徴としている。
【０００８】
また、本発明に係るファスナー部材は、前記した保持部は受部寄りに、その受部と同材で一体的に形成してあることを特徴とし、前記した保持部は受部、挿し込み部と独立して形成されていることを特徴としている。
【０００９】
さらに、本発明に係るファスナー部材は、前記したフィラメント部はアンテナとなる導電材による芯線が軸方向に沿って内蔵されていることを特徴とし、前記した導電材による芯線としてアモルファスを使用していることを特徴としている。
【００１０】
また、本発明に係るファスナー部材は、前記した保持部はその外側縁に、ＩＣチップを前記芯線に、そのアンテナを近接させる押し付け部が形成されていることを特徴とし、前記した保持部にはＩＣチップの位置決め用の挟持片が設けられていることを特徴としている。
【００１１】
さらに、本発明に係るファスナー部材の装着器具は、係止部を備えた挿通孔を形成した受部と、その受部の挿通孔に挿通され、前記係止部と係合してロック状態とする係合部を備えた挿し込み部とをフィラメント部によって一体的に連絡し、一部にＩＣチップを搭載したファスナー部材において、前記したフィラメントの一部に沿って硬質材によって成形された保持部を設け、その保持部にＩＣチップを搭載してあるファスナー部材をランナー部材に切離可能に一定ピッチで並列したアッセンブリとし、そのアッセンブリを装着し、順次単一のファスナー部材を目的物に装着する装着器具であって、装置本体の一部にファスナー部材のＩＣチップと対応するリーダーライターを設けてある装着器具において、トリガーの動作に連動する操作スイッチを配し、リーダーライターはアンテナと電気的に接続されたものとし、そのリーダーライターと前記スイッチを電気的に接続してあることを特徴としている。
【発明の効果】
【００１２】
本発明に係るファスナー部材は上記のように構成されている。導電材、特にアモルファスによる芯線を有することによって、磁場を利用したゲートを通過すると反応して、不正持ち出し行為を監視、検知することが可能となり、また、そのアモルファス芯線に対してＩＣチップのアンテナをよりよく接近させ、安定して保持させることができる。
【００１３】
さらに、本発明に係るファスナー部材の装着器具によると、グリップ部にスイッチを設けることで、手元で容易にリーダーライターを操作することができることとなる。
【図面の簡単な説明】
【００１４】
【図１】本願のファスナー部材の第一実施例を示す部分平面図である。
【図２】部分側面図である。
【図３】保持部の正面図である。
【図４】フィラメント部の断面図である。
【図５】ファスナー部材の第二実施例を示す一部破断平面図である。
【図６】一部破断側面図である。
【図７】他の例を示す一部破断側面図である。
【図８】アッセンブリとしての平面図である。
【図９】ファスナー部材の装着器具を示す側面図である。
【図１０】リーダーライター基板を示す図である。
【発明を実施するための形態】
【００１５】
図面として示し、実施例で説明したように構成したことで実現した。
【実施例１】
【００１６】
次に、本発明のファスナー部材の第一実施例を図１乃至図４を参照して説明する。これらの図にあって１はファスナー本体を示しており、２はループを形成するフィラメント部、３はそのフィラメント部２の一端に固着されている硬質プラスチックによる受部である。この受部３には、特に図示しない、フィラメント２の他端に設けられた挿し込み部が挿し込まれる挿通孔４が形成されており、この挿通孔４には、挿し込み部の係合部を係合してロックする係止部４ａ、４ａが弾性を保有して形成されている。
【００１７】
また、受部３のフィラメント部２側には、受部３と同質材による突部５が形成され、この突部５からはさらに、同質材が延長されてＩＣチップ６の保持部７が形成されている。即ち、フィラメント部２は、突部５から保持部７までの間では受部３と同質材の硬質プラスチックによって外周を被覆部５ａとして被覆された形態とされている。
【００１８】
さらに、フィラメント部２は中心に導電材、それもアモルファスで成形された芯線８を有している。この芯線８は断面を略楕円状としてあるもので、その側面をプラスチック、ナイロン等の被覆材で被覆してあるもので、芯線８は、略楕円状の長軸方向の端部を外部に露呈させたものとしてあり、この芯線８はＩＣチップ６の無線送受信用のアンテナとしても作用するものとなり、このアモルファス芯線８の存在によって、磁場を作用させ、不正持ち出しを監視し、検知するゲートと対応することができる。
【００１９】
前記した保持部７は略矩形状をしており、内部にＩＣチップを内蔵（埋設）する構成となっているが、この保持部７の遊端側縁は一部を切り欠いて押し付け部９を形成して底上げ状態とし、内部のＩＣチップ６を少しでも芯線８に対し接近させるようにしてある。この場合、芯線８に対し、ＩＣチップ６自体のアンテナを近づけることで、通信状態を良好とし、芯線８もアンテナとして使用することで電波の有効距離も長くすることもできる。
【実施例２】
【００２０】
続いて、図５及び図６を参照して本発明に係るファスナー部材の第二実施例を説明する。尚、第一実施例と共通する部分は同一符号を付して詳細な説明は省略する。この図５、図６にあって１０はフィラメント部２の他端に設けられた硬質プラスチックによる挿し込み部であり、この挿し込み部１０は、先端寄りに、受部３の係止部４ａ、４ａと係合してフィラメント部２のループ状態をロックする係合部１０ａが形成されている。
【００２１】
また、この図５、図６はファスナー部材１のアッセンブリ状態としての一部を示し、受部３及び挿し込み部１０は各々、装着時に、後述する装着器具に備えられたカッターで切断される短寸の連結部１１、１１を介して、装着器具内を移動するランナー部材１２、１２に連結されている。
【００２２】
この第二実施例におけるＩＣチップ６の保持部７には、押し付け部９に加え、ＩＣチップ６を端縁を少しでも芯線８の軸線方向に沿わせるため、一対の挟持片１３、１３を設けてＩＣチップ６を挟持位置決めし、捩れたり、傾いたりする歪みを未然に防止している。
【００２３】
また、図７として示すようにこの一対の挟持片１３、１３を設けた保持部７は受部３、挿し込み部１０と独立させて、フィラメント部２の中央近辺位置に設ける構成とすることもできる。
【００２４】
さらに、このファスナー部材１、１‥のアッセンブリは図８に示すようになっている。ここで、導電材、特にアモルファスによる芯線８を入れるについて、その芯線の長さをアンテナとして最適な長さとするため、製造時にフィラメント部２、２‥を金型にあって、ブロックを利用して撓ませることで小さな金型でも、その金型以上の長さを得ることが可能となる。
【００２５】
一方、図９として示す１５は、アッセンブリとしたファスナー部材１、１‥を装填し、一本づつ単品として対象物に装着する装着器具を示している。この装着器具１５自体のメカニズム、作用は既知のものであるが、装置本体の一部、本実施例ではそのボディケースの一部にＩＣチップ６のリーダーライター基板、特にＵＨＦ帯のＲＦＩＤ用の基板１６が搭載されている。このリーダーライター基板１６はバッテリー１７によって電力を得るもので、このリーダーライター基板１６と信号を送受信するためのアンテナ１８もボディケースの一部に設けられている。また、装着器具のグリップ１９の一部、それも端部寄りには、リーダーライター基板１６に搭載されているマイクロコントロールユニット２１に入力するスイッチ２０が設けられている。このスイッチ２０はトリガーの動きに連動するものであればよく、設置位置は任意となる。
【００２６】
リーダーライター基板１６は図１０に示す構成となっており、アンテナ１８からの信号はアンプ２２に入力され増幅される。この信号はリーダーライター用のＬＳＩ２３に入力される。このＬＳＩ２３はマイクロコントロールユニット２１によって制御されることとなる。尚、２４はモジュールを示しており、２５はバッテリー１７からの電力を受けるパワー入力部であり、２６は作動状況を示すＬＥＤである。
【産業上の利用可能性】
【００２７】
本実施例におけるファスナー部材、その製造方法及び装着器具は上記のように構成されている。ファスナー部材にあってアモルファス芯線の周囲をコーティング（被覆）する構成としてあるが、これは芯線の周面に糸を巻装する構成とすることも可能であり、また、リーダーライター基板１６もＵＨＦ帯以外のものも使用は可能である。
【符号の説明】
【００２８】
１    ファスナー部材
２    フィラメント部
３    受部
４    挿通孔
４ａ  係止部
５    突部
５ａ  被覆部
６    ＩＣチップ
７    保持部
８    アモルファス芯線
９    押し付け部
１０  挿し込み部
１０ａ  係合部
１１  連結部
１２  ランナー部材
１３  挟持片
１５  装着器具
１６  リーダーライター基板
１７  バッテリー
１８  アンテナ
１９  グリップ
２０  スイッチ
２１  マイクロコントロールユニット
２２  アンプ
２３  ＬＳＩ
２４  モジュール
２５  パワー入力部
２６  ＬＥＤ
【図１】
2013228916.tif 000003
【図２】
2013228916.tif 000004
【図３】
2013228916.tif 000005
【図４】
2013228916.tif 000006
【図５】
2013228916.tif 000007
【図６】
2013228916.tif 000008
【図７】
2013228916.tif 000009
【図８】
2013228916.tif 000010
【図９】
2013228916.tif 000011
【図１０】
2013228916.tif 000012